(57)【要約】【課題】周辺光量の低下の抑制し、かつ、小型軽量化を図り、さらに、良好な光学性能を維持することができる大口径の撮像レンズを提供すること。【解決手段】物体側から像面側に向かって順に、像面側に凸面を向けた正のパワーを有する第１レンズ２、絞り３、像面側に凸面を向けた負のパワーを有する第２レンズ４、正のパワーを有する第３レンズ５、および負のパワーを有する第４レンズ６を配設し、０．３≦ｆ／ｆ１≦１．７、−２．７≦ｆ／ｆ２≦−０．２５（但し、ｆ：レンズ系全体の焦点距離、ｆ１：第１レンズの焦点距離、ｆ２：第２レンズの焦点距離）を満足すること。【選択図】図１
2009003443.tif 000002
【特許請求の範囲】
【請求項１】
物体側から像面側に向かって順に、像面側に凸面を向けた正のパワーを有する第１レンズ、絞り、像面側に凸面を向けた負のパワーを有する第２レンズ、正のパワーを有する第３レンズ、および負のパワーを有する第４レンズを配設し、次の（１）および（２）に示す各条件式、
０．３≦ｆ／ｆ１≦１．７          （１）
−２．７≦ｆ／ｆ２≦−０．２５    （２）
但し、
ｆ：レンズ系全体の焦点距離
ｆ１：第１レンズの焦点距離
ｆ２：第２レンズの焦点距離
を満足することを特徴とする撮像レンズ。
【請求項２】
更に、次の（３）に示す条件式、
−７．０≦（ｒ２１＋ｒ２２）／（ｒ２１−ｒ２２）≦−１．２    （３）
但し、
ｒ２１：第２レンズの物体側の面の中心曲率半径
ｒ２２：第２レンズの像面側の面の中心曲率半径
を満足することを特徴とする請求項１に記載の撮像レンズ。
【請求項３】
更に、次の（４）に示す条件式、
０．８≦ｆ／ｆ３≦３．０          （４）
但し、
ｆ３：第３レンズの焦点距離
を満足することを特徴とする請求項１または２に記載の撮像レンズ。
【請求項４】
前記第４レンズが、像面側に凸面を向けたメニスカスレンズとされ、更に、次の（５）に示す条件式、
−１０．０≦（ｒ４１＋ｒ４２）／（ｒ４１−ｒ４２）≦−２．５  （５）
但し、
ｒ４１：第４レンズ物体側の面の中心曲率半径
ｒ４２：第４レンズ像面側の面の中心曲率半径
を満足することを特徴とする請求項１〜３のいずれか１項に記載の撮像レンズ。
【請求項５】
前記第１レンズの物体側の面が、周辺側に向かうにしたがって物体側に凹になるような非球面形状に形成されていること
を特徴とする請求項１〜４のいずれか１項に記載の撮像レンズ。
【発明の詳細な説明】
【技術分野】
【０００１】
本発明は、撮像レンズに係り、特に、携帯型のコンピュータ、テレビ電話、携帯電話、デジタルカメラまたは車載用監視カメラ等に搭載されるＣＣＤやＣＭＯＳ等の固体撮像素子の撮像面に物体の像を結像させるのに好適な４枚レンズ構成の撮像レンズに関する。
【背景技術】
【０００２】
近年、携帯型のコンピュータ、テレビ電話、携帯電話、デジタルカメラまたは車載用監視カメラ等に搭載されるＣＣＤ、ＣＭＯＳ等の固体撮像素子を利用したカメラの需要が著しく高まっている。このようなカメラは、限られた設置スペースに搭載する必要があることから、小型であり、かつ、軽量であることが望まれている。
【０００３】
また、このようなカメラに搭載される固体撮像素子としては、ＶＧＡと呼ばれる約３０万画素の高い解像度を有するものや１００万画素を超えるより高解像度のものが採用されるようになっている。
【０００４】
このため、このようなカメラに用いられる撮像レンズにも、カメラと同様に小型軽量かつ高解像度であることが要求されており、このような要求に応えるべく、これまでにも、例えば、特許文献１〜３に示すような４枚のレンズを用いた４枚構成のレンズ系が採用されていた。
【０００５】
【特許文献１】特開２００４−３２５７１３号公報
【特許文献２】特開２００４−３４１５１２号公報
【特許文献３】特開２００２−３６５５３１号公報
【発明の開示】
【発明が解決しようとする課題】
【０００６】
ところで、特に、車載用監視カメラ等は、夜間の屋外等の暗所においても被写体を適正露出の下で撮影することが重要とされているため、高いダイナミックレンジ〔ｄＢ〕を有することが求められており、このような高いダイナミックレンジを要するカメラに搭載されるレンズとしては、大口径で明るく、周辺においても光量の低下が少ないものが好適とされている。
【０００７】
しかるに、特許文献１に記載のレンズ系は、絞りを最も物体側に配置しているため、小型かつ撮像面への光線の入射角度が小さいレンズ系を実現するためには好適であるものの、レンズ系の非対称性が強くなるため、収差の補正の観点から、有効径が大きい大口径のレンズ系にとっては特に好ましくない構成となる。蓋し、多くの種類の収差（例えば、コマ収差や非点収差等）は、レンズの有効径に影響を受けるからである。
【０００８】
また、特許文献２に記載のレンズ系は、第１レンズが物体側に強い凸面を向けたレンズであるため、周辺におけるビネッティング（開口効率）の減少を招くものとなる。
【０００９】
ここで、周辺の光量（以下、周辺光量と称する）は、ディストーションの影響を無視した場合には、ビネッティングの値に、画角の余弦の４乗（ｃｏｓ４ω）を乗じることによって算出される。したがって、周辺におけるビネッティングの値が小さい特許文献２に記載のレンズ系は、周辺光量の低下を抑制することが困難なものとなる。
【００１０】
さらに、特許文献３に記載のレンズ系は、第２レンズが両凹レンズであるため、負のパワーを稼いでペッツバール和を小さくする点では有効であるものの、絞りから遠い像面側への光線の入射角度が大きくなり、非点収差等の諸収差が多く発生してしまうため、有効径が大きい大口径のレンズ系には特に不利となる。
【００１１】
このように、従来は、大口径の明るいレンズ系において、周辺光量の低下の抑制と、レンズ系の小型軽量化と、撮像面への光線の入射角度の緩和または諸収差の補正による良好な光学性能の維持とをバランスさせることが困難であるといった問題が生じていた。
【００１２】
そこで、本発明は、このような問題点に鑑みなされたものであり、周辺光量の低下の抑制し、かつ、小型軽量化を図り、さらに、良好な光学性能を維持することができる大口径の撮像レンズを提供することを目的とするものである。
【課題を解決するための手段】
【００１３】
前述した目的を達成するため、本発明の請求項１に係る撮像レンズの特徴は、物体側から像面側に向かって順に、像面側に凸面を向けた正のパワーを有する第１レンズ、絞り、像面側に凸面を向けた負のパワーを有する第２レンズ、正のパワーを有する第３レンズ、および負のパワーを有する第４レンズを配設し、次の（１）および（２）に示す各条件式、
０．３≦ｆ／ｆ１≦１．７          （１）
−２．７≦ｆ／ｆ２≦−０．２５    （２）
但し、
ｆ：レンズ系全体の焦点距離
ｆ１：第１レンズの焦点距離
ｆ２：第２レンズの焦点距離
を満足する点にある。
【００１４】
そして、この請求項１に係る発明によれば、第１レンズ〜第４レンズからなる簡易な４枚玉のレンズ構成を用いるとともに、第１レンズを、像面側に凸面を向けた正のパワーを有するレンズとし、第２レンズを、像面側に凸面を向けた負のパワーを有するレンズとし、第３レンズを、正のパワーを有するレンズとし、第４レンズを、負のパワーを有するレンズとし、絞りを第１レンズと第２レンズとの間に配置し、さらに、（１）および（２）の各条件式を満足するようにすることにより、小型軽量でありながら、周辺におけるビネッティングの減少を抑えて周辺光量の低下を抑制することができ、大口径とした場合であっても、諸収差を良好に補正し、撮像面への光線の入射角度を緩和（小さく）することが可能となる。
【００１５】
また、請求項２に係る撮像レンズの特徴は、請求項１において、更に、次の（３）に示す条件式、
−７．０≦（ｒ２１＋ｒ２２）／（ｒ２１−ｒ２２）≦−１．２    （３）
但し、
ｒ２１：第２レンズの物体側の面の中心曲率半径
ｒ２２：第２レンズの像面側の面の中心曲率半径
を満足する点にある。
【００１６】
そして、この請求項２に係る発明によれば、更に、（３）の条件式を満足するようにすることにより、像面湾曲、軸上色収差およびディストーションをさらにバランス良く補正することが可能となる。
【００１７】
さらに、請求項３に係る撮像レンズの特徴は、請求項１または２において、更に、次の（４）に示す条件式、
０．８≦ｆ／ｆ３≦３．０          （４）
但し、
ｆ３：第３レンズの焦点距離
を満足する点にある。
【００１８】
そして、この請求項３に係る発明によれば、更に、（４）の条件式を満足するようにすることにより、さらに確実に、撮像面への光線の入射角度の緩和とディストーションの補正とを両立させることが可能となる。
【００１９】
さらにまた、請求項４に係る撮像レンズの特徴は、請求項１〜３のいずれか１項において、前記第４レンズが、像面側に凸面を向けたメニスカスレンズとされ、更に、次の（５）に示す条件式、
−１０．０≦（ｒ４１＋ｒ４２）／（ｒ４１−ｒ４２）≦−２．５  （５）
但し、
ｒ４１：第４レンズ物体側の面の中心曲率半径
ｒ４２：第４レンズ像面側の面の中心曲率半径
を満足する点にある。
【００２０】
そして、この請求項４に係る発明によれば、更に、（５）の条件式を満足するようにすることにより、ディストーションの補正と周辺における色フレアの抑制とを両立させることが可能となる。
【００２１】
また、請求項５に係る撮像レンズの特徴は、請求項１〜４のいずれか１項において、前記第１レンズの物体側の面が、周辺側に向かうにしたがって物体側に凹になるような非球面形状に形成されている点にある。
【００２２】
そして、この請求項５に係る発明によれば、周辺光量の低下をさらに確実に抑制することが可能となる。
【発明の効果】
【００２３】
本発明に係る撮像レンズによれば、周辺光量の低下の抑制し、かつ、小型軽量化を図り、さらに、良好な光学性能を維持することができる大口径の撮像レンズを実現することができる。
【発明を実施するための最良の形態】
【００２４】
以下、本発明に係る撮像レンズの実施形態について、図１を参照して説明する。
【００２５】
図１に示すように、本実施形態における撮像レンズ１は、物体側から像面側に向かって順に、像面側に凸面を向けた正のパワーを有する第１レンズ２と、絞り３と、像面側に凸面を向けた負のパワーを有する第２レンズ４と、正のパワーを有する第３レンズ５と、負のパワーを有する第４レンズ６とを有している。
【００２６】
各レンズ２、４、５、６は、シクロオレフィンコポリマー、シクロオレフィンポリマー、ポリカーボネート等の樹脂材料の射出成形法や、シリコーン樹脂を用いて各々形成することができる。
【００２７】
以下、各レンズ２、４、５、６における物体側および像面側の各レンズ面を、必要に応じてそれぞれ第１面２ａ、４ａ、５ａ、６ａ、第２面２ｂ、４ｂ、５ｂ、６ｂと称することとする。
【００２８】
第４レンズ６の第２面６ｂ側には、ＣＣＤあるいはＣＭＯＳ等の撮像素子の受光面である撮像面７が配設されている。
【００２９】
なお、必要に応じて、第４レンズ６の第２面６ｂと撮像面７との間に、カバーガラス、ＩＲカットフィルタ、ローパスフィルタ等の各種フィルタを配置してもよい。
【００３０】
ここで、レンズの枚数が５枚以上となると、レンズ系の全長が長くなり過ぎて小型軽量化には適さないことになる。
【００３１】
また、前述したように、絞り３を最も物体側すなわち第１レンズ２の物体側に配置した場合には、レンズ系の非対称性が強くなるため、諸収差の補正が困難となる。特に、本実施形態のように大口径を狙った撮像レンズ１の場合には、諸収差の補正がより一層困難なものとなる。
【００３２】
さらに、前述したように、第１レンズ２を物体側に強い凸面を向けたレンズとした場合には、周辺におけるビネッティングの減少を招くことになり、周辺光量の低下を抑制することが困難となる。
【００３３】
さらにまた、前述したように、第２レンズ４を両凹レンズとした場合には、撮像面７に対する光線の入射角度が大きくなり過ぎる上に、非点収差等の諸収差が多く発生することになり、本実施形態のような大口径を狙った撮像レンズ１には光学性能を維持する観点から特に不利なことになる。
【００３４】
また、第３レンズ５を負のパワーを有するレンズとした場合には、撮像面７への周辺の光線の入射角度が大きくなり過ぎ、光学性能を維持することが困難となる。
【００３５】
さらに、第４レンズ６を正のパワーを有するレンズとした場合には、軸上における色収差が大きくなる。
【００３６】
したがって、本実施形態によれば、４枚構成のレンズ系を採用し、第１レンズ２を、像面側に凸面を向けた正のパワーを有するレンズとし、第２レンズ４を、像面側に凸面を向けた負のパワーを有するレンズとし、第３レンズ５を、正のパワーを有するレンズとし、第４レンズ６を、負のパワーを有するレンズとし、絞り３を第１レンズ２と第２レンズ４との間に配置したことにより、大口径でありながら、小型軽量化、周辺光量の低下の抑制、諸収差の良好な補正および撮像面７への光線の入射角度の緩和が可能となる。
【００３７】
なお、第１レンズ２の第１面２ａを、中心側から周辺側に向かって物体側に凹となるような非球面形状に形成すれば、周辺におけるビネッティングの減少をより有効に抑制することができ、周辺光量をより安定的に確保することが可能となる。
【００３８】
上記構成に加えて、更に、本実施形態においては、次の（１）および（２）にに示す各条件式を満足するようにする。
【００３９】
０．３≦ｆ／ｆ１≦１．７          （１）
−２．７≦ｆ／ｆ２≦−０．２５    （２）
但し、（１）および（２）式におけるｆは、レンズ系全体の焦点距離であり、（１）式におけるｆ１は、第１レンズ２の焦点距離であり、（２）式におけるｆ２は、第２レンズ４の焦点距離である。
【００４０】
ここで、ｆ／ｆ１の値が（１）式に示す値（０．３）よりも小さくなると、第２レンズ４および第４レンズ６が負のパワーを稼ぎにくくなるため、軸上色収差の補正不足となる上に、径が大きい第３レンズ５に負担をかけることになり、マージナル光線のフレア成分が増すことになる。
【００４１】
一方、ｆ／ｆ１の値が（１）式に示す値（１．７）よりも大きくなると、全体として軸上色収差が補正過剰となりやすく、第３レンズ５のパワーを積極的に使うことが困難となり、また、軸上色収差の他の諸収差の補正も困難となる。
【００４２】
したがって、本実施形態においては、ｆ／ｆ１の値が（１）の条件式を満足するようにすることにより、軸上色収差をはじめとした諸収差をより確実に補正することが可能となるとともに、フレアの発生を有効に抑制することが可能となる。
【００４３】
なお、ｆとｆ１との関係は、０．４≦ｆ／ｆ１≦１．４とされることが、より好ましい。
【００４４】
また、ｆ／ｆ２の値が（２）式に示す値（−２．７）よりも小さくなると、ペッツバール和が減少するため、非点収差および像面湾曲を補正する上では好ましいが、軸上色収差が補正過剰となり、却って各収差をバランス良く補正することができなくなる。
【００４５】
一方、ｆ／ｆ２の値が（２）式に示す値（−０．２５）よりも大きくなると、ペッツバール和が悪化し、非点収差および像面湾曲の補正が困難となる。
【００４６】
したがって、本実施形態においては、ｆ／ｆ２の値が（２）の条件式を満足するようにすることにより、非点収差、像面湾曲および軸上色収差をさらにバランス良く補正することが可能となる。
【００４７】
なお、ｆとｆ２との関係は、−２．５≦ｆ／ｆ２≦−０．３とされることが、より好ましい。
【００４８】
上記構成に加えて、更に、本実施形態においては、次の（３）に示す条件式を満足するようにする。
【００４９】
−７．０≦（ｒ２１＋ｒ２２）／（ｒ２１−ｒ２２）≦−１．２    （３）
但し、（３）式におけるｒ２１は、第２レンズ４の第１面４ａの中心曲率半径であり、（４）式におけるｒ２２は、第２レンズ４の第２面４ｂの中心曲率半径である。
【００５０】
ここで、（ｒ２１＋ｒ２２）／（ｒ２１−ｒ２２）の値が（３）式に示す値（−７．０）よりも小さくなると、像面湾曲を補正する上では好ましいが、軸上色収差が補正不足となり、像面湾曲と軸上色収差とをバランス良く補正することが困難となる。
【００５１】
一方、（ｒ２１＋ｒ２２）／（ｒ２１−ｒ２２）の値が（３）式に示す値（−１．２）よりも大きくなると、像面湾曲およびディストーションの補正が困難となる。
【００５２】
したがって、本実施形態においては、（ｒ２１＋ｒ２２）／（ｒ２１−ｒ２２）の値が（３）の条件式を満足するようにすることにより、像面湾曲、軸上色収差およびディストーションをさらにバランス良く補正することが可能となる。
【００５３】
なお、（ｒ２１＋ｒ２２）と（ｒ２１−ｒ２２）との関係は、−６．０≦（ｒ２１＋ｒ２２）／（ｒ２１−ｒ２２）≦−１．５とされることが、より好ましい。
【００５４】
上記構成に加えて、更に、本実施形態においては、次の（４）に示す条件式を満足するようにする。
【００５５】
０．８≦ｆ／ｆ３≦３．０          （４）
但し、（４）式におけるｆ３は、第３レンズ５の焦点距離である。
【００５６】
ここで、ｆ／ｆ３の値が（４）式に示す値（０．８）よりも小さくなると、撮像面７への光線の入射角度が大きくなり過ぎることになる。
【００５７】
一方、ｆ／ｆ３の値が（４）式に示す値（３．０）よりも大きくなると、負のディストーションが大きくなり過ぎることになる。
【００５８】
したがって、本実施形態においては、ｆ／ｆ３の値が（４）の条件式を満足するようにすることにより、さらに確実に、撮像面７への光線の入射角度の緩和とディストーションの補正とを両立させることが可能となる。
【００５９】
なお、ｆとｆ３との関係は、１．３≦ｆ／ｆ３≦２．３とされることが、より好ましい。
【００６０】
上記構成に加えて、更に、本実施形態においては、次の（５）に示す条件式を満足するようにする。
【００６１】
−１０．０≦（ｒ４１＋ｒ４２）／（ｒ４１−ｒ４２）≦−２．５  （５）
但し、（５）式におけるｒ４１は、第４レンズ６の第１面６ａの中心曲率半径であり、ｒ４２は、第４レンズ６の第２面６ｂの中心曲率半径である。
【００６２】
ここで、（ｒ４１＋ｒ４２）／（ｒ４１−ｒ４２）の値が（５）式に示す値（−１０．０）よりも小さくなると、負のディストーションが大きくなり過ぎることになる。
【００６３】
一方、（ｒ４１＋ｒ４２）／（ｒ４１−ｒ４２）の値が（５）式に示す値（−２．５）よりも大きくなると、周辺における色フレアが大きくなり、ディストーションの補正も困難になる。
【００６４】
したがって、本実施形態においては、（ｒ４１＋ｒ４２）／（ｒ４１−ｒ４２）の値が（５）の条件式を満足するようにすることにより、ディストーションの補正と周辺における色フレアの抑制とを両立させることが可能となる。
【００６５】
なお、（ｒ４１＋ｒ４２）と（ｒ４１−ｒ４２）との関係は、−７．０≦（ｒ４１＋ｒ４２）／（ｒ４１−ｒ４２）≦−４．０とされることが、より好ましい。
【実施例】
【００６６】
次に、本発明の実施例について、図２乃至図２９を参照して説明する。
【００６７】
ここで、以下の実施例において、Ｆｎｏは、Ｆナンバーを、ωは、半画角を、ｒは、光学面の曲率半径（非球面の場合には中心曲率半径）をそれぞれ示す。また、ｄは、次の光学面までの光軸８上の距離を、ｎｄは、ｄ線（黄色）を照射した場合における各光学系の屈折率を、νｄは、同じくｄ線を基準にした各光学系のアッベ数をそれぞれ示す。
【００６８】
ｋ、Ａ、Ｂ、Ｃ、Ｄは、次の（６）式における各係数を示す。すなわち、レンズの非球面の形状は、光軸８方向にＺ軸、光軸８に直交する方向にＸ軸をとり、光の進行方向を正とし、ｋを円錐係数、Ａ、Ｂ、Ｃ、Ｄを非球面係数、ｒを中心曲率半径としたとき次式で表される。
【００６９】
Ｚ（Ｘ）＝ｒ−１ Ｘ２ ／［１＋｛１−（ｋ＋１）ｒ−２ Ｘ２  ｝１／２ ］
＋ＡＸ４  ＋ＢＸ６  ＋ＣＸ８ ＋ＤＸ１０     （６）
【００７０】
また、以下の実施例において、円錐係数および非球面係数を表す数値に用いられる記号Ｅは、その次に続く数値が１０を底としたべき指数であることを示し、その１０を底としたべき指数で表される数値が、Ｅの前の数値に乗算されることを示す。例えば、−０．５３９２Ｅ−０２は、−０．５３９２×１０−２であることを示す。
【００７１】
＜第１実施例＞
図２は、本発明の第１実施例を示したものであり、本実施例においては、第１レンズ２の第２面２ｂにおける中央部が、絞り３を貫通して絞り３よりも像面側に位置（突出）されている。ただし、第１レンズ２全体としては、絞り３よりも物体側に配置されていることに違いはない。
【００７２】
この第１実施例の撮像レンズ１は、以下の条件に設定されている。
【００７３】
レンズデータ
ｆ＝８．００ｍｍ、Ｆｎｏ＝２．０、ω＝３２．１°
面番号                     ｒ       ｄ     ｎｄ     νｄ
（物点）                         INFINITY
１（第１レンズ第１面）    8.212    1.22    1.530    55.8
２（第１レンズ第２面）  -35.739   -0.23
３（絞り）              INFINITY   1.71
４（第２レンズ第１面）   -2.088    1.15    1.585    30.0
５（第２レンズ第２面）   -2.923    0.20
６（第３レンズ第１面）    4.720    3.26    1.530    55.8
７（第３レンズ第２面）   -9.116    0.97
８（第４レンズ第１面）   -1.938    1.40    1.585    30.0
９（第４レンズ第２面）   -2.876
面番号  ｋ        Ａ           Ｂ           Ｃ           Ｄ
１    0.000  -0.5392E-02  -0.8082E-03   0.4779E-04  -0.1722E-04
２  162.753  -0.9671E-02  -0.4901E-03   0.3801E-04  -0.2161E-05
４   -0.743   0.1327E-01   0.5349E-03   0.5219E-04  -0.7531E-05
５   -2.207   0.4517E-03   0.8852E-03   0.4857E-05  -0.5182E-05
６   -4.237   0.1429E-02  -0.1541E-03   0.2880E-06   0.1174E-06
７    0.004  -0.6554E-02  -0.2124E-03   0.6210E-04  -0.1799E-05
８   -0.924   0.1305E-01  -0.7455E-03   0.6933E-04  -0.2063E-05
９   -0.903   0.1224E-01  -0.1402E-03  -0.9784E-05   0.1899E-06
【００７４】
このような条件の下で、ｆ／ｆ１＝０．６３となり、（１）式を満足するものであった。また、ｆ／ｆ２＝−０．３１となり、（２）式を満足するものであった。さらに、（ｒ２１＋ｒ２２）／（ｒ２１−ｒ２２）＝−６．０１となり、（３）式を満足するものであった。さらにまた、ｆ／ｆ３＝１．２６となり、（４）の条件式を満足するものであった。また、（ｒ４１＋ｒ４２）／（ｒ４１−ｒ４２）＝−５．１３となり、（５）の条件式を満足するものであった。
【００７５】
この第１実施例の撮像レンズ１における球面収差、非点収差およびディストーションを図３に示す。
【００７６】
この結果によれば、球面収差、非点収差およびディストーションのいずれもほぼ満足できる結果となり、十分な光学特性を得ることができることが分かる。
【００７７】
＜第２実施例＞
図４は、本発明の第２実施例を示したものであり、本実施例においても、第１レンズ２の第２面２ｂにおける中央部が、絞り３を貫通して絞り３よりも像面側に位置されている。
【００７８】
この第２実施例の撮像レンズ１は、以下の条件に設定されている。
【００７９】
レンズデータ
ｆ＝８．００ｍｍ、Ｆｎｏ＝２．０、ω＝３２．０°
面番号                     ｒ      ｄ      ｎｄ     νｄ
（物点）                        INFINITY
１（第１レンズ第１面）    8.399    1.21    1.530    55.8
２（第１レンズ第２面）  -36.556   -0.23
３（絞り）              INFINITY   1.76
４（第２レンズ第１面）   -1.916    0.99    1.585    30.0
５（第２レンズ第２面）   -2.879    0.20
６（第３レンズ第１面）    4.118    3.30    1.530    55.8
７（第３レンズ第２面）   -8.144    1.03
８（第４レンズ第１面）   -1.868    1.36    1.585    30.0
９（第４レンズ第２面）   -2.766
面番号  ｋ        Ａ           Ｂ           Ｃ           Ｄ
１    0.000  -0.5241E-02  -0.8390E-03   0.5104E-04  -0.1649E-04
２  212.247  -0.9290E-02  -0.4764E-03   0.2241E-04   0.1404E-05
４   -0.971   0.1907E-01  -0.1796E-02   0.3766E-03  -0.2838E-04
５   -2.072   0.3015E-02   0.4623E-03   0.4944E-04  -0.7532E-05
６   -5.196   0.1654E-02  -0.1391E-03  -0.2804E-05   0.2413E-06
７   -4.986  -0.6139E-02  -0.2585E-03   0.5972E-04  -0.1668E-05
８   -0.955   0.1399E-01  -0.7826E-03   0.6684E-04  -0.1981E-05
９   -0.904   0.1232E-01  -0.9744E-04  -0.1143E-04   0.2000E-06
【００８０】
このような条件の下で、ｆ／ｆ１＝０．６２となり、（１）式を満足するものであった。また、ｆ／ｆ２＝−０．５１となり、（２）式を満足するものであった。さらに、（ｒ２１＋ｒ２２）／（ｒ２１−ｒ２２）＝−４．９８となり、（３）式を満足するものであった。さらにまた、ｆ／ｆ３＝１．４１となり、（４）の条件式を満足するものであった。また、（ｒ４１＋ｒ４２）／（ｒ４１−ｒ４２）＝−５．１６となり、（５）の条件式を満足するものであった。
【００８１】
この第２実施例の撮像レンズ１における球面収差、非点収差およびディストーションを図５に示す。
【００８２】
この結果によれば、球面収差、非点収差およびディストーションのいずれもほぼ満足できる結果となり、十分な光学特性を得ることができることが分かる。
【００８３】
＜第３実施例＞
図６は、本発明の第３実施例を示したものであり、本実施例においても、第１レンズ２の第２面２ｂにおける中央部が、絞り３を貫通して絞り３よりも像面側に位置されている。
【００８４】
この第３実施例の撮像レンズ１は、以下の条件に設定されている。
【００８５】
レンズデータ
ｆ＝８．００ｍｍ、Ｆｎｏ＝２．０、ω＝３１．９°
面番号                     ｒ       ｄ     ｎｄ     νｄ
（物点）                         INFINITY
１（第１レンズ第１面）    9.049    1.22    1.530    55.8
２（第１レンズ第２面）  -20.050   -0.24
３（絞り）              INFINITY   1.55
４（第２レンズ第１面）   -2.010    0.98    1.585    30.0
５（第２レンズ第２面）   -3.940    0.37
６（第３レンズ第１面）    3.462    3.30    1.530    55.8
７（第３レンズ第２面）   -6.579    1.29
８（第４レンズ第１面）   -1.666    1.26    1.585    30.0
９（第４レンズ第２面）   -2.443
面番号  ｋ        Ａ           Ｂ           Ｃ           Ｄ
１    0.000  -0.4083E-02  -0.9486E-03   0.9486E-04  -0.1982E-04
２   52.520  -0.6541E-02  -0.6158E-03   0.4152E-04  -0.1589E-05
４   -1.222   0.2430E-01  -0.5210E-02   0.8403E-03  -0.5586E-04
５   -2.527   0.5922E-02  -0.5405E-03   0.1028E-03  -0.7973E-05
６   -5.362   0.1800E-02  -0.1761E-03  -0.9952E-06   0.1939E-06
７   -8.596  -0.4696E-02  -0.2392E-03   0.4555E-04  -0.1170E-05
８   -1.075   0.1591E-01  -0.8831E-03   0.5724E-04  -0.1587E-05
９   -0.939   0.1312E-01   0.9260E-05  -0.1875E-04   0.3228E-06
【００８６】
このような条件の下で、ｆ／ｆ１＝０．６７となり、（１）式を満足するものであった。また、ｆ／ｆ２＝−０．９３となり、（２）式を満足するものであった。さらに、（ｒ２１＋ｒ２２）／（ｒ２１−ｒ２２）＝−３．０８となり、（３）式を満足するものであった。さらにまた、ｆ／ｆ３＝１．６６となり、（４）の条件式を満足するものであった。また、（ｒ４１＋ｒ４２）／（ｒ４１−ｒ４２）＝−５．２９となり、（５）の条件式を満足するものであった。
【００８７】
この第３実施例の撮像レンズ１における球面収差、非点収差およびディストーションを図７に示す。
【００８８】
この結果によれば、球面収差、非点収差およびディストーションのいずれもほぼ満足できる結果となり、十分な光学特性を得ることができることが分かる。
【００８９】
＜第４実施例＞
図８は、本発明の第４実施例を示したものであり、本実施例においても、第１レンズ２の第２面２ｂにおける中央部が、絞り３を貫通して絞り３よりも像面側に位置されている。
【００９０】
この第４実施例の撮像レンズ１は、以下の条件に設定されている。
【００９１】
レンズデータ
ｆ＝８．００ｍｍ、Ｆｎｏ＝２．０、ω＝３１．６°
面番号                    ｒ       ｄ     ｎｄ     νｄ
（物点）                        INFINITY
１（第１レンズ第１面）  23.875    1.57    1.530    55.8
２（第１レンズ第２面）  -7.081   -0.36
３（絞り）             INFINITY   1.60
４（第２レンズ第１面）  -1.838    0.90    1.585    30.0
５（第２レンズ第２面）  -9.499    0.20
６（第３レンズ第１面）   2.350    3.30    1.530    55.8
７（第３レンズ第２面）  -5.350    1.70 
８（第４レンズ第１面）  -1.580    1.19    1.585    30.0
９（第４レンズ第２面）  -2.276
面番号  ｋ        Ａ           Ｂ           Ｃ           Ｄ
１    0.000  -0.3961E-02  -0.5673E-03   0.5519E-04  -0.9395E-05
２    1.254  -0.2079E-02  -0.7149E-03   0.8317E-04  -0.6131E-05
４   -4.886  -0.4347E-02   0.7277E-03  -0.1198E-03   0.4956E-05
５    6.605   0.4333E-02  -0.1294E-03  -0.3211E-04   0.1773E-05
６   -6.278   0.3411E-02  -0.4288E-03   0.2842E-04  -0.9499E-06
７   -1.830   0.7325E-03  -0.3083E-03   0.3755E-04  -0.1003E-05
８   -1.071   0.1936E-01  -0.8815E-03   0.3362E-04  -0.6411E-06
９   -0.940   0.1348E-01   0.9837E-04  -0.2713E-04   0.6021E-06
【００９２】
このような条件の下で、ｆ／ｆ１＝０．７７となり、（１）式を満足するものであった。また、ｆ／ｆ２＝−１．９８となり、（２）式を満足するものであった。さらに、（ｒ２１＋ｒ２２）／（ｒ２１−ｒ２２）＝−１．４８となり、（３）式を満足するものであった。さらにまた、ｆ／ｆ３＝２．２２となり、（４）の条件式を満足するものであった。また、（ｒ４１＋ｒ４２）／（ｒ４１−ｒ４２）＝−５．５４となり、（５）の条件式を満足するものであった。
【００９３】
この第４実施例の撮像レンズ１における球面収差、非点収差およびディストーションを図９に示す。
【００９４】
この結果によれば、球面収差、非点収差およびディストーションのいずれもほぼ満足できる結果となり、十分な光学特性を得ることができることが分かる。
【００９５】
＜第５実施例＞
図１０は、本発明の第５実施例を示したものであり、本実施例においても、第１レンズ２の第２面２ｂにおける中央部が、絞り３を貫通して絞り３よりも像面側に位置されている。
【００９６】
この第５実施例の撮像レンズ１は、以下の条件に設定されている。
【００９７】
レンズデータ
ｆ＝８．００ｍｍ、Ｆｎｏ＝２．０、ω＝３１．５°
面番号                    ｒ       ｄ     ｎｄ     νｄ
（物点）                        INFINITY
１（第１レンズ第１面）  37.706    1.83    1.530    55.8
２（第１レンズ第２面）  -5.924   -0.39
３（絞り）             INFINITY   1.58
４（第２レンズ第１面）  -1.854    0.90    1.585    30.0
５（第２レンズ第２面） -16.244    0.20
６（第３レンズ第１面）   2.279    3.30    1.530    55.8
７（第３レンズ第２面）  -5.124    1.95
８（第４レンズ第１面）  -1.573    1.16    1.585    30.0
９（第４レンズ第２面）  -2.220
面番号  ｋ        Ａ           Ｂ           Ｃ           Ｄ
１    0.000  -0.3311E-02  -0.4009E-03   0.3971E-04  -0.6157E-05
２   -1.324  -0.4746E-03  -0.8594E-03   0.9383E-04  -0.6028E-05
４   -5.227  -0.2603E-02  -0.2367E-04  -0.2449E-04  -0.1461E-05
５   22.690   0.3062E-02  -0.3987E-03  -0.3546E-05   0.5445E-06
６   -6.220   0.2976E-02  -0.3729E-03   0.2403E-04  -0.8343E-06
７    1.534   0.1119E-02  -0.2054E-03   0.2409E-04  -0.5948E-06
８   -1.064   0.1974E-01  -0.8725E-03   0.3105E-04  -0.5621E-06
９   -0.951   0.1355E-01   0.4390E-04  -0.2155E-04   0.4578E-06
【００９８】
このような条件の下で、ｆ／ｆ１＝０．８２となり、（１）式を満足するものであった。また、ｆ／ｆ２＝−２．２０となり、（２）式を満足するものであった。さらに、（ｒ２１＋ｒ２２）／（ｒ２１−ｒ２２）＝−１．２６となり、（３）式を満足するものであった。さらにまた、ｆ／ｆ３＝２．２８となり、（４）の条件式を満足するものであった。また、（ｒ４１＋ｒ４２）／（ｒ４１−ｒ４２）＝−５．８７となり、（５）の条件式を満足するものであった。
【００９９】
この第５実施例の撮像レンズ１における球面収差、非点収差およびディストーションを図１１に示す。
【０１００】
この結果によれば、球面収差、非点収差およびディストーションのいずれもほぼ満足できる結果となり、十分な光学特性を得ることができることが分かる。
【０１０１】
＜第６実施例＞
図１２は、本発明の第６実施例を示したものであり、本実施例においても、第１レンズ２の第２面２ｂにおける中央部が、絞り３を貫通して絞り３よりも像面側に位置されている。
【０１０２】
この第６実施例の撮像レンズ１は、以下の条件に設定されている。
【０１０３】
レンズデータ
ｆ＝８．００ｍｍ、Ｆｎｏ＝２．０、ω＝３１．３°
面番号                     ｒ       ｄ     ｎｄ     νｄ
（物点）                         INFINITY
１（第１レンズ第１面）  107.540    2.21    1.530    55.8
２（第１レンズ第２面）   -4.814   -0.41
３（絞り）              INFINITY   1.52
４（第２レンズ第１面）   -1.830    0.90    1.585    30.0
５（第２レンズ第２面） -205.239    0.20
６（第３レンズ第１面）    2.155    3.30    1.530    55.8
７（第３レンズ第２面）   -4.878    2.13
８（第４レンズ第１面）   -1.620    1.15    1.585    30.0
９（第４レンズ第２面）   -2.246
面番号  ｋ        Ａ           Ｂ           Ｃ           Ｄ
１    0.000  -0.2355E-02  -0.2698E-03   0.3259E-04  -0.4696E-05
２   -5.080  -0.4719E-03  -0.1033E-02   0.1293E-03  -0.8254E-05
４   -5.542  -0.9191E-03  -0.1219E-02   0.1552E-03  -0.1429E-04
５ 4399.654   0.6520E-03  -0.8013E-03   0.4652E-04  -0.1919E-05
６   -6.017   0.3262E-02  -0.3250E-03   0.2113E-04  -0.8036E-06
７   -1.426   0.1944E-02  -0.2106E-04   0.6475E-05  -0.2033E-06
８   -1.047   0.1958E-01  -0.8917E-03   0.3346E-04  -0.6053E-06
９   -0.922   0.1325E-01  -0.5191E-04  -0.9065E-05   0.1396E-06
【０１０４】
このような条件の下で、ｆ／ｆ１＝０．９２となり、（１）式を満足するものであった。また、ｆ／ｆ２＝−２．５５となり、（２）式を満足するものであった。さらに、（ｒ２１＋ｒ２２）／（ｒ２１−ｒ２２）＝−１．０２となり、（３）式を満足するものであった。さらにまた、ｆ／ｆ３＝２．３８となり、（４）の条件式を満足するものであった。また、（ｒ４１＋ｒ４２）／（ｒ４１−ｒ４２）＝−６．１８となり、（５）の条件式を満足するものであった。
【０１０５】
この第６実施例の撮像レンズ１における球面収差、非点収差およびディストーションを図１３に示す。
【０１０６】
この結果によれば、球面収差、非点収差およびディストーションのいずれもほぼ満足できる結果となり、十分な光学特性を得ることができることが分かる。
【０１０７】
＜第７実施例＞
図１４は、本発明の第７実施例を示したものであり、本実施例においても、第１レンズ２の第２面２ｂにおける中央部が、絞り３を貫通して絞り３よりも像面側に位置されている。
【０１０８】
この第７実施例の撮像レンズ１は、以下の条件に設定されている。
【０１０９】
レンズデータ
ｆ＝８．００ｍｍ、Ｆｎｏ＝２．０、ω＝３２．６°
面番号                     ｒ       ｄ     ｎｄ     νｄ
（物点）                         INFINITY
１（第１レンズ第１面）   18.228    1.31    1.530    55.8
２（第１レンズ第２面）  -10.831   -0.33
３（絞り）              INFINITY   2.61
４（第２レンズ第１面）   -1.574    0.90    1.585    30.0
５（第２レンズ第２面）   -2.478    0.20
６（第３レンズ第１面）    3.693    3.30    1.530    55.8
７（第３レンズ第２面）   -7.130    1.04
８（第４レンズ第１面）   -1.793    1.37    1.585    30.0
９（第４レンズ第２面）   -2.640
面番号  ｋ        Ａ           Ｂ           Ｃ           Ｄ
１    0.000  -0.4549E-02  -0.8814E-03   0.1124E-03  -0.1893E-04
２   17.179  -0.5510E-02   0.1790E-03  -0.9388E-04   0.1307E-04
４   -0.910   0.3589E-01  -0.5589E-02   0.6831E-03  -0.3464E-04
５   -0.756   0.1450E-01  -0.1180E-02   0.1054E-03  -0.4629E-05
６   -5.305   0.1323E-02  -0.1512E-03   0.4060E-05  -0.1591E-06
７    1.012  -0.1882E-02  -0.3306E-04   0.1417E-04  -0.1430E-06
８   -1.716   0.8382E-02  -0.8540E-03   0.5212E-04  -0.1063E-05
９   -0.771   0.1790E-01  -0.6635E-03   0.1070E-04   0.1233E-07
【０１１０】
このような条件の下で、ｆ／ｆ１＝０．６１となり、（１）式を満足するものであった。また、ｆ／ｆ２＝−０．６９となり、（２）式を満足するものであった。さらに、（ｒ２１＋ｒ２２）／（ｒ２１−ｒ２２）＝−４．４８となり、（３）式を満足するものであった。さらにまた、ｆ／ｆ３＝１．５６となり、（４）の条件式を満足するものであった。また、（ｒ４１＋ｒ４２）／（ｒ４１−ｒ４２）＝−５．２３となり、（５）の条件式を満足するものであった。
【０１１１】
この第７実施例の撮像レンズ１における球面収差、非点収差およびディストーションを図１５に示す。
【０１１２】
この結果によれば、球面収差、非点収差およびディストーションのいずれもほぼ満足できる結果となり、十分な光学特性を得ることができることが分かる。
【０１１３】
＜第８実施例＞
図１６は、本発明の第８実施例を示したものであり、本実施例においても、第１レンズ２の第２面２ｂにおける中央部が、絞り３を貫通して絞り３よりも像面側に位置されている。
【０１１４】
この第８実施例の撮像レンズ１は、以下の条件に設定されている。
【０１１５】
レンズデータ
ｆ＝８．００ｍｍ、Ｆｎｏ＝２．０、ω＝３２．１°
面番号                      ｒ       ｄ     ｎｄ     νｄ
（物点）                           INFINITY
１（第１レンズ第１面）    13.362    1.11    1.530    55.8
２（第１レンズ第２面）  -104.564   -0.20
３（絞り）               INFINITY   1.45
４（第２レンズ第１面）    -2.447    0.90    1.585    30.0
５（第２レンズ第２面）    -7.954    0.20
６（第３レンズ第１面）     2.440    3.30    1.530    55.8
７（第３レンズ第２面）    -5.735    1.17
８（第４レンズ第１面）    -1.649    1.49    1.585    30.0
９（第４レンズ第２面）    -2.603
面番号  ｋ        Ａ           Ｂ           Ｃ           Ｄ
１    0.000  -0.5551E-02  -0.1123E-02   0.7362E-04  -0.8580E-05
２  632.562  -0.6379E-02  -0.1953E-02   0.2413E-03  -0.1103E-04
４   -7.114  -0.5193E-02  -0.1169E-02   0.3359E-03  -0.2072E-04
５    1.643  -0.2444E-02  -0.1224E-04   0.8665E-04  -0.6835E-05
６   -5.716   0.3618E-02  -0.4183E-03   0.2396E-04  -0.7093E-06
７   -7.963  -0.1691E-02  -0.3771E-03   0.4613E-04  -0.9802E-06
８   -1.384   0.1397E-01  -0.1145E-02   0.6924E-04  -0.1489E-05
９   -1.005   0.1291E-01  -0.2256E-04  -0.2438E-04   0.6269E-06
【０１１６】
このような条件の下で、ｆ／ｆ１＝０．３６となり、（１）式を満足するものであった。また、ｆ／ｆ２＝−１．２５となり、（２）式を満足するものであった。さらに、（ｒ２１＋ｒ２２）／（ｒ２１−ｒ２２）＝−１．８９となり、（３）式を満足するものであった。さらにまた、ｆ／ｆ３＝２．１４となり、（４）の条件式を満足するものであった。また、（ｒ４１＋ｒ４２）／（ｒ４１−ｒ４２）＝−４．４５となり、（５）の条件式を満足するものであった。
【０１１７】
この第８実施例の撮像レンズ１における球面収差、非点収差およびディストーションを図１７に示す。
【０１１８】
この結果によれば、球面収差、非点収差およびディストーションのいずれもほぼ満足できる結果となり、十分な光学特性を得ることができることが分かる。
【０１１９】
＜第９実施例＞
図１８は、本発明の第９実施例を示したものであり、本実施例においても、第１レンズ２の第２面２ｂにおける中央部が、絞り３を貫通して絞り３よりも像面側に位置されている。
【０１２０】
この第９実施例の撮像レンズ１は、以下の条件に設定されている。
【０１２１】
レンズデータ
ｆ＝８．００ｍｍ、Ｆｎｏ＝２．０、ω＝３２．０°
面番号                     ｒ       ｄ     ｎｄ     νｄ
（物点）                         INFINITY
１（第１レンズ第１面）   12.698    1.14    1.532    55.8
２（第１レンズ第２面）  -34.050   -0.22
３（絞り）              INFINITY   1.50
４（第２レンズ第１面）   -2.156    0.90    1.589    30.0
５（第２レンズ第２面）   -6.419    0.20
６（第３レンズ第１面）    2.469    3.30    1.532    55.8
７（第３レンズ第２面）   -5.957    1.21
８（第４レンズ第１面）   -1.656    1.41    1.589    30.0
９（第４レンズ第２面）   -2.557
面番号  ｋ        Ａ           Ｂ           Ｃ           Ｄ
１    0.000  -0.5025E-02  -0.9804E-03   0.5930E-04  -0.9508E-05
２   84.006  -0.6170E-02  -0.1548E-02   0.1848E-03  -0.8978E-05
４   -5.612  -0.7510E-02  -0.2852E-03   0.2486E-03  -0.1916E-04
５    0.484  -0.7726E-03   0.1530E-04   0.7669E-04  -0.6666E-05
６   -5.884   0.3749E-02  -0.4262E-03   0.2358E-04  -0.6708E-06
７   -8.583  -0.1808E-02  -0.3793E-03   0.4526E-04  -0.9369E-06
８   -1.364   0.1396E-01  -0.1121E-02   0.6747E-04  -0.1455E-05
９   -1.008   0.1298E-01  -0.1539E-04  -0.2416E-04   0.6083E-06
【０１２２】
このような条件の下で、ｆ／ｆ１＝０．４６となり、（１）式を満足するものであった。また、ｆ／ｆ２＝−１．３４となり、（２）式を満足するものであった。さらに、（ｒ２１＋ｒ２２）／（ｒ２１−ｒ２２）＝−２．０１となり、（３）式を満足するものであった。さらにまた、ｆ／ｆ３＝２．１１となり、（４）の条件式を満足するものであった。また、（ｒ４１＋ｒ４２）／（ｒ４１−ｒ４２）＝−４．６８となり、（５）の条件式を満足するものであった。
【０１２３】
この第９実施例の撮像レンズ１における球面収差、非点収差およびディストーションを図１９に示す。
【０１２４】
この結果によれば、球面収差、非点収差およびディストーションのいずれもほぼ満足できる結果となり、十分な光学特性を得ることができることが分かる。
【０１２５】
＜第１０実施例＞
図２０は、本発明の第１０実施例を示したものであり、本実施例においても、第１レンズ２の第２面２ｂにおける中央部が、絞り３を貫通して絞り３よりも像面側に位置されている。
【０１２６】
この第１０実施例の撮像レンズ１は、以下の条件に設定されている。
【０１２７】
レンズデータ
ｆ＝８．００ｍｍ、Ｆｎｏ＝２．０、ω＝３２．１°
面番号                     ｒ       ｄ     ｎｄ     νｄ
（物点）                         INFINITY
１（第１レンズ第１面）   36.011    1.70    1.532    55.8
２（第１レンズ第２面）   -4.059   -0.40
３（絞り）              INFINITY   0.96
４（第２レンズ第１面）   -2.529    1.05    1.589    30.0
５（第２レンズ第２面）  -12.500    1.17
６（第３レンズ第１面）    3.549    3.30    1.532    55.8
７（第３レンズ第２面）   -6.139    1.40
８（第４レンズ第１面）   -1.521    1.27    1.589    30.0
９（第４レンズ第２面）   -2.279
面番号  ｋ        Ａ           Ｂ           Ｃ           Ｄ
１    0.000  -0.2934E-02  -0.3400E-03   0.4499E-04  -0.5812E-05
２   -8.418  -0.1481E-02  -0.3665E-03   0.5301E-05  -0.1484E-05
４   -6.688   0.1879E-02  -0.8307E-03   0.5821E-04  -0.7281E-05
５ -219.024   0.5906E-03  -0.1123E-02   0.1174E-03  -0.6193E-05
６   -3.008   0.5213E-04  -0.6477E-05  -0.2243E-05  -0.1180E-06
７   -6.273  -0.1330E-02  -0.3313E-03   0.4091E-04  -0.1082E-05
８   -1.207   0.1684E-01  -0.1151E-02   0.5884E-04  -0.1278E-05
９   -1.093   0.1358E-01  -0.5831E-04  -0.2299E-04   0.5443E-06
【０１２８】
このような条件の下で、ｆ／ｆ１＝１．１５となり、（１）式を満足するものであった。また、ｆ／ｆ２＝−１．４３となり、（２）式を満足するものであった。さらに、（ｒ２１＋ｒ２２）／（ｒ２１−ｒ２２）＝−１．５１となり、（３）式を満足するものであった。さらにまた、ｆ／ｆ３＝１．６７となり、（４）の条件式を満足するものであった。また、（ｒ４１＋ｒ４２）／（ｒ４１−ｒ４２）＝−５．０１となり、（５）の条件式を満足するものであった。
【０１２９】
この第１０実施例の撮像レンズ１における球面収差、非点収差およびディストーションを図２１に示す。
【０１３０】
この結果によれば、球面収差、非点収差およびディストーションのいずれもほぼ満足できる結果となり、十分な光学特性を得ることができることが分かる。
【０１３１】
＜第１１実施例＞
図２２は、本発明の第１１実施例を示したものであり、本実施例においても、第１レンズ２の第２面２ｂにおける中央部が、絞り３を貫通して絞り３よりも像面側に位置されている。
【０１３２】
この第１１実施例の撮像レンズ１は、以下の条件に設定されている。
【０１３３】
レンズデータ
ｆ＝８．００ｍｍ、Ｆｎｏ＝２．０、ω＝３２．５°
面番号                     ｒ       ｄ     ｎｄ     νｄ
（物点）                         INFINITY
１（第１レンズ第１面）   33.159    1.49    1.532    55.8
２（第１レンズ第２面）   -3.430   -0.44
３（絞り）              INFINITY   0.79
４（第２レンズ第１面）   -2.438    1.14    1.589    30.0
５（第２レンズ第２面）  -12.500    1.36
６（第３レンズ第１面）    3.704    3.30    1.532    55.8
７（第３レンズ第２面）   -6.717    1.34
８（第４レンズ第１面）   -1.500    1.32    1.589    30.0
９（第４レンズ第２面）   -2.258
面番号  ｋ        Ａ           Ｂ           Ｃ           Ｄ
１    0.000  -0.3863E-02  -0.4980E-03   0.5172E-04  -0.6519E-05
２   -8.859  -0.5506E-03  -0.6412E-03   0.2005E-04  -0.2262E-05
４   -7.165   0.3766E-02  -0.9527E-03   0.6549E-04  -0.6378E-05
５ -234.151   0.2863E-03  -0.1103E-02   0.1276E-03  -0.6939E-05
６   -2.352  -0.7243E-03   0.3053E-04  -0.2891E-05  -0.1306E-06
７   -8.653  -0.1726E-02  -0.3782E-03   0.4256E-04  -0.1009E-05
８   -1.244   0.1619E-01  -0.1213E-02   0.6141E-04  -0.1216E-05
９   -1.101   0.1384E-01  -0.7776E-04  -0.2420E-04   0.6044E-06
【０１３４】
このような条件の下で、ｆ／ｆ１＝１．３５となり、（１）式を満足するものであった。また、ｆ／ｆ２＝−１．４９となり、（２）式を満足するものであった。さらに、（ｒ２１＋ｒ２２）／（ｒ２１−ｒ２２）＝−１．４８となり、（３）式を満足するものであった。さらにまた、ｆ／ｆ３＝１．５９となり、（４）の条件式を満足するものであった。また、（ｒ４１＋ｒ４２）／（ｒ４１−ｒ４２）＝−４．９６となり、（５）の条件式を満足するものであった。
【０１３５】
この第１１実施例の撮像レンズ１における球面収差、非点収差およびディストーションを図２３に示す。
【０１３６】
この結果によれば、球面収差、非点収差およびディストーションのいずれもほぼ満足できる結果となり、十分な光学特性を得ることができることが分かる。
【０１３７】
＜第１２実施例＞
図２４は、本発明の第１２実施例を示したものであり、本実施例においても、第１レンズ２の第２面２ｂにおける中央部が、絞り３を貫通して絞り３よりも像面側に位置されている。
【０１３８】
この第１２実施例の撮像レンズ１は、以下の条件に設定されている。
【０１３９】
レンズデータ
ｆ＝８．００ｍｍ、Ｆｎｏ＝２．０、ω＝３２．８°
面番号                     ｒ       ｄ     ｎｄ     νｄ
（物点）                         INFINITY
１（第１レンズ第１面）   37.922    1.54    1.532    55.8
２（第１レンズ第２面）   -2.919   -0.50
３（絞り）              INFINITY   0.74
４（第２レンズ第１面）   -2.266    1.19    1.589    30.0
５（第２レンズ第２面）  -12.500    1.44
６（第３レンズ第１面）    3.756    3.30    1.532    55.8
７（第３レンズ第２面）   -7.356    1.35
８（第４レンズ第１面）   -1.499    1.36    1.589    30.0
９（第４レンズ第２面）   -2.240    3.52
面番号  ｋ        Ａ           Ｂ           Ｃ           Ｄ
１    0.000  -0.4577E-02  -0.5295E-03   0.2682E-04  -0.3698E-05
２   -8.457   0.1352E-02  -0.1171E-02   0.4531E-04  -0.2692E-06
４   -7.235   0.5872E-02  -0.1201E-02   0.6740E-04  -0.2741E-05
５ -258.121  -0.2394E-03  -0.9399E-03   0.1180E-03  -0.6577E-05
６   -1.799  -0.1815E-02   0.8645E-04  -0.5478E-05  -0.5328E-07
７   -9.307  -0.1503E-02  -0.4789E-03   0.4827E-04  -0.1072E-05
８   -1.240   0.1629E-01  -0.1264E-02   0.6475E-04  -0.1251E-05
９   -1.086   0.1397E-01  -0.6991E-04  -0.2488E-04   0.6219E-06
【０１４０】
このような条件の下で、ｆ／ｆ１＝１．５５となり、（１）式を満足するものであった。また、ｆ／ｆ２＝−１．６３となり、（２）式を満足するものであった。さらに、（ｒ２１＋ｒ２２）／（ｒ２１−ｒ２２）＝−１．４４となり、（３）式を満足するものであった。さらにまた、ｆ／ｆ３＝１．５４となり、（４）の条件式を満足するものであった。また、（ｒ４１＋ｒ４２）／（ｒ４１−ｒ４２）＝−５．０４となり、（５）の条件式を満足するものであった。
【０１４１】
この第１２実施例の撮像レンズ１における球面収差、非点収差およびディストーションを図２５に示す。
【０１４２】
この結果によれば、球面収差、非点収差およびディストーションのいずれもほぼ満足できる結果となり、十分な光学特性を得ることができることが分かる。
【０１４３】
＜第１３実施例＞
図２６は、本発明の第１３実施例を示したものであり、本実施例においても、第１レンズ２の第２面２ｂにおける中央部が、絞り３を貫通して絞り３よりも像面側に位置されている。
【０１４４】
この第１３実施例の撮像レンズ１は、以下の条件に設定されている。
【０１４５】
レンズデータ
ｆ＝８．００ｍｍ、Ｆｎｏ＝２．０、ω＝３１．４°
面番号                     ｒ       ｄ     ｎｄ     νｄ
（物点）                         INFINITY
１（第１レンズ第１面）   11.298    1.20    1.532    55.8
２（第１レンズ第２面）  -13.904   -0.23
３（絞り）              INFINITY   1.79
４（第２レンズ第１面）   -1.732    0.90    1.589    30.0
５（第２レンズ第２面）   -4.595    0.20
６（第３レンズ第１面）    2.533    3.30    1.532    55.8
７（第３レンズ第２面）   -4.399    0.88
８（第４レンズ第１面）   -1.754    1.54    1.589    30.0
９（第４レンズ第２面）   -3.157
面番号  ｋ        Ａ           Ｂ           Ｃ           Ｄ
１    0.000  -0.3390E-02  -0.6849E-03   0.7654E-04  -0.1772E-04
２    0.563  -0.4252E-02  -0.5785E-03  -0.1324E-05  -0.1949E-05
４   -3.914  -0.6774E-02   0.9853E-03  -0.2328E-03   0.1881E-04
５   -3.206   0.2960E-02  -0.4774E-03  -0.1083E-04   0.1569E-05
６   -6.226   0.4425E-02  -0.5031E-03   0.3589E-04  -0.1414E-05
７   -1.406   0.1208E-02  -0.1331E-03   0.3874E-04  -0.1554E-05
８   -1.369   0.1395E-01  -0.1043E-02   0.6443E-04  -0.1569E-05
９   -0.792   0.1364E-01  -0.2410E-03  -0.9921E-05   0.3547E-06
【０１４６】
このような条件の下で、ｆ／ｆ１＝０．６７となり、（１）式を満足するものであった。また、ｆ／ｆ２＝−１．５０となり、（２）式を満足するものであった。さらに、（ｒ２１＋ｒ２２）／（ｒ２１−ｒ２２）＝−２．２１となり、（３）式を満足するものであった。さらにまた、ｆ／ｆ３＝２．２１となり、（４）の条件式を満足するものであった。また、（ｒ４１＋ｒ４２）／（ｒ４１−ｒ４２）＝−３．５０となり、（５）の条件式を満足するものであった。
【０１４７】
この第１３実施例の撮像レンズ１における球面収差、非点収差およびディストーションを図２７に示す。
【０１４８】
この結果によれば、球面収差、非点収差およびディストーションのいずれもほぼ満足できる結果となり、十分な光学特性を得ることができることが分かる。
【０１４９】
＜第１４実施例＞
図２８は、本発明の第１４実施例を示したものであり、本実施例においても、第１レンズ２の第２面２ｂにおける中央部が、絞り３を貫通して絞り３よりも像面側に位置されている。
【０１５０】
この第１４実施例の撮像レンズ１は、以下の条件に設定されている。
【０１５１】
レンズデータ
ｆ＝８．００ｍｍ、Ｆｎｏ＝２．０、ω＝３１．９°
面番号                     ｒ       ｄ     ｎｄ     νｄ
（物点）                         INFINITY
１（第１レンズ第１面）   10.920    1.24    1.532    55.8
２（第１レンズ第２面）  -12.733   -0.28
３（絞り）              INFINITY   1.43
４（第２レンズ第１面）   -1.886    0.90    1.589    30.0
５（第２レンズ第２面）   -6.925    0.20
６（第３レンズ第１面）    2.597    3.30    1.532    55.8
７（第３レンズ第２面）   -6.899    2.03
８（第４レンズ第１面）   -1.456    0.88    1.589    30.0
９（第４レンズ第２面）   -1.872
面番号  ｋ        Ａ           Ｂ           Ｃ           Ｄ
１    0.000  -0.4693E-02  -0.8568E-03   0.4296E-04  -0.1015E-04
２    8.108  -0.5643E-02  -0.1113E-02   0.1770E-03  -0.1318E-04
４   -4.630  -0.6114E-02   0.1741E-02  -0.1704E-03   0.6757E-05
５   -2.796   0.3830E-02   0.3400E-03  -0.6656E-04   0.1405E-05
６   -6.945   0.2951E-02  -0.4848E-03   0.2730E-04  -0.1859E-05
７   -2.390  -0.2442E-03  -0.5025E-03   0.3790E-04  -0.1045E-05
８   -1.018   0.1936E-01  -0.6777E-03   0.3358E-04  -0.9593E-06
９   -1.039   0.1286E-01   0.1547E-03  -0.2024E-04   0.1914E-06
【０１５２】
このような条件の下で、ｆ／ｆ１＝０．７１となり、（１）式を満足するものであった。また、ｆ／ｆ２＝−１．７０となり、（２）式を満足するものであった。さらに、（ｒ２１＋ｒ２２）／（ｒ２１−ｒ２２）＝−１．７５となり、（３）式を満足するものであった。さらにまた、ｆ／ｆ３＝１．９８となり、（４）の条件式を満足するものであった。また、（ｒ４１＋ｒ４２）／（ｒ４１−ｒ４２）＝−８．００となり、（５）の条件式を満足するものであった。
【０１５３】
この第１４実施例の撮像レンズ１における球面収差、非点収差およびディストーションを図２９に示す。
【０１５４】
この結果によれば、球面収差、非点収差およびディストーションのいずれもほぼ満足できる結果となり、十分な光学特性を得ることができることが分かる。
【０１５５】
なお、本発明は、前述した実施の形態に限定されるものではなく、必要に応じて種々の変更が可能である。
【図面の簡単な説明】
【０１５６】
【図１】本発明に係る撮像レンズおよび撮像装置の実施の一形態を示す概略構成図
【図２】本発明に係る撮像レンズおよび撮像装置の第１実施例を示す概略構成図
【図３】図２に示す撮像レンズにおける球面収差、非点収差およびディストーションを示す説明図
【図４】本発明に係る撮像レンズおよび撮像装置の第２実施例を示す概略構成図
【図５】図４に示す撮像レンズにおける球面収差、非点収差およびディストーションを示す説明図
【図６】本発明に係る撮像レンズおよび撮像装置の第３実施例を示す概略構成図
【図７】図６に示す撮像レンズにおける球面収差、非点収差およびディストーションを示す説明図
【図８】本発明に係る撮像レンズおよび撮像装置の第４実施例を示す概略構成図
【図９】図８に示す撮像レンズにおける球面収差、非点収差およびディストーションを示す説明図
【図１０】本発明に係る撮像レンズおよび撮像装置の第５実施例を示す概略構成図
【図１１】図１０に示す撮像レンズにおける球面収差、非点収差およびディストーションを示す説明図
【図１２】本発明に係る撮像レンズおよび撮像装置の第６実施例を示す概略構成図
【図１３】図１２に示す撮像レンズにおける球面収差、非点収差およびディストーションを示す説明図
【図１４】本発明に係る撮像レンズおよび撮像装置の第７実施例を示す概略構成図
【図１５】図１４に示す撮像レンズにおける球面収差、非点収差およびディストーションを示す説明図
【図１６】本発明に係る撮像レンズおよび撮像装置の第８実施例を示す概略構成図
【図１７】図１６に示す撮像レンズにおける球面収差、非点収差およびディストーションを示す説明図
【図１８】本発明に係る撮像レンズおよび撮像装置の第９実施例を示す概略構成図
【図１９】図１８に示す撮像レンズにおける球面収差、非点収差およびディストーションを示す説明図
【図２０】本発明に係る撮像レンズおよび撮像装置の第１０実施例を示す概略構成図
【図２１】図２０に示す撮像レンズにおける球面収差、非点収差およびディストーションを示す説明図
【図２２】本発明に係る撮像レンズおよび撮像装置の第１１実施例を示す概略構成図
【図２３】図２２に示す撮像レンズにおける球面収差、非点収差およびディストーションを示す説明図
【図２４】本発明に係る撮像レンズおよび撮像装置の第１２実施例を示す概略構成図
【図２５】図２４に示す撮像レンズにおける球面収差、非点収差およびディストーションを示す説明図
【図２６】本発明に係る撮像レンズおよび撮像装置の第１３実施例を示す概略構成図
【図２７】図２６に示す撮像レンズにおける球面収差、非点収差およびディストーションを示す説明図
【図２８】本発明に係る撮像レンズおよび撮像装置の第１４実施例を示す概略構成図
【図２９】図２８に示す撮像レンズにおける球面収差、非点収差およびディストーションを示す説明図
【符号の説明】
【０１５７】
１  撮像レンズ
２  第１レンズ
３  絞り
４  第２レンズ
５  第３レンズ
６  第４レンズ
【図１】
2009003443.tif 000003
【図２】
2009003443.tif 000004
【図３】
2009003443.tif 000005
【図４】
2009003443.tif 000006
【図５】
2009003443.tif 000007
【図６】
2009003443.tif 000008
【図７】
2009003443.tif 000009
【図８】
2009003443.tif 000010
【図９】
2009003443.tif 000011
【図１０】
2009003443.tif 000012
【図１１】
2009003443.tif 000013
【図１２】
2009003443.tif 000014
【図１３】
2009003443.tif 000015
【図１４】
2009003443.tif 000016
【図１５】
2009003443.tif 000017
【図１６】
2009003443.tif 000018
【図１７】
2009003443.tif 000019
【図１８】
2009003443.tif 000020
【図１９】
2009003443.tif 000021
【図２０】
2009003443.tif 000022
【図２１】
2009003443.tif 000023
【図２２】
2009003443.tif 000024
【図２３】
2009003443.tif 000025
【図２４】
2009003443.tif 000026
【図２５】
2009003443.tif 000027
【図２６】
2009003443.tif 000028
【図２７】
2009003443.tif 000029
【図２８】
2009003443.tif 000030
【図２９】
2009003443.tif 000031